(57)【要約】【課題】  アドレス情報の読み取り率を確保しながら、読み取り精度の向上を図り得る光ディスクのＷＡＰ復調方法を提供する。【解決手段】  アドレス情報の読み取り率を向上させるために、同期信号及びＩＰＷの検出精度を下げて復調信号を生成するＷＡＰ復調方法であって、アドレスフィールド内の各ＷＤＵの先頭ＩＰＷをフルビットで並行して検出し、復調信号Ｙ２が該先頭ＩＰＷをフルビットで正常に検出できるタイミングに同期するように、復調信号Ｙ２のタイミングを補正する。【選択図】      図１
2006236448.tif 000002
【特許請求の範囲】
【請求項１】
ディスクに記録されたウォーブル信号を２値化してＷＤＵを生成し、該ＷＤＵからＳＹＮＣフィールド内の同期信号を検出し、前記同期信号の検出に基づいて前記ＷＤＵの２値化信号をカウントし、該２値化信号のカウント値に基づいて、アドレスフィールド内の２値化信号からアドレス情報を復調するためのタイミングを設定する復調信号を生成し、該復調信号に基づいてアドレスフィールド内の２値化信号からアドレス情報を復調し、前記アドレスフィールドのＷＤＵの先頭ＩＰＷを検出することにより、前記ＷＤＵが正常に読み取り可能か否かを検出し、前記アドレス情報の読み取り率を向上させるために、前記同期信号及びＩＰＷの検出精度を下げて前記復調信号を生成するＷＡＰ復調方法であって、
前記アドレスフィールド内の各ＷＤＵの先頭ＩＰＷをフルビットで並行して検出し、前記復調信号が該先頭ＩＰＷをフルビットで正常に検出できるタイミングに同期するように、前記復調信号のタイミングを補正することを特徴とする光ディスクのＷＡＰ復調方法。
【請求項２】
前記先頭ＩＰＷを、前記アドレスフィールド内の各ＷＤＵにおいて前記復調信号の前後に亘る複数クロックの範囲でフルビット検出を行うことを特徴とする請求項１記載の光ディスクのＷＡＰ復調方法。
【請求項３】
前記先頭ＩＰＷを、複数回に亘ってフルビットで正常に検出したとき、前記復調信号のタイミングを補正することを特徴とする請求項１又は２記載の光ディスクのＷＡＰ復調方法。
【請求項４】
ディスクに記録されたウォーブル信号を２値化してＷＤＵを生成し、該ＷＤＵからＳＹＮＣフィールド内の同期信号を検出し、前記同期信号の検出に基づいて前記ＷＤＵの２値化信号をカウントし、該２値化信号のカウント値に基づいて、アドレスフィールド内の２値化信号からアドレス情報を復調するためのタイミングを設定する復調信号を生成し、該復調信号に基づいてアドレスフィールド内の２値化信号からアドレス情報を復調し、前記アドレスフィールドのＷＤＵの先頭ＩＰＷを検出することにより、前記ＷＤＵが正常に読み取り可能か否かを検出し、前記アドレス情報の読み取り率を向上させるために、前記同期信号及びＩＰＷの検出精度を下げて前記復調信号を生成するＷＡＰ復調方法であって、
前記復調信号を複数クロックに亘って連続して生成し、前記各復調信号に基づいて生成される複数のアドレスが期待値と一致するか否かを検出し、期待値と一致するアドレスが復調されるタイミングに同期するように前記復調信号のタイミングを補正することを特徴とする光ディスクのＷＡＰ復調方法。
【請求項５】
前記複数のアドレスが連続するアドレスであるとき、期待値と一致するものとすることを特徴とする請求項４記載の光ディスクのＷＡＰ復調方法。
【請求項６】
前記復調信号のタイミング補正は、前記カウント値を補正して行うことを特徴とする請求項１乃至５のいずれか１項に記載の光ディスクのＷＡＰ復調方法。
【請求項７】
ＳＹＮＣフィールド内のＷＤＵから同期信号を検出するＳＹＮＣ検出部と、
前記ＳＹＮＣ検出部から出力される検出信号に基づいて、ＷＡＰの数と各ＷＤＵ内のウォーブル信号の数とをカウントし、所定数のウォーブル信号をカウントしたとき復調信号を出力するカウンタと、
前記復調信号に基づいて、アドレスフィールド内のＷＤＵからアドレス情報を復調するとともに、先頭ＩＰＷの未検出信号を出力するアドレス復調部と、
前記先頭ＩＰＷの未検出信号をカウントする未検出カウンタと
を備えたＷＡＰ復調装置であって、
前記アドレスフィールド内の各ＷＤＵの先頭ＩＰＷを前記復調信号の前後に亘る複数クロックの範囲でフルビットで並行して検出し、該先頭ＩＰＷを正常に検出したとき検出信号を出力するＩＰＷ監視部と、
前記カウンタは、前記検出信号に基づいて、前記復調信号が先頭ＩＰＷをフルビットで正常に検出できるタイミングに同期するように、前記カウンタのカウント値を補正することと
を備えたことを特徴とする光ディスクのＷＡＰ復調装置。
【請求項８】
ＳＹＮＣフィールド内のＷＤＵから同期信号を検出するＳＹＮＣ検出部と、
前記ＳＹＮＣ検出部から出力される検出信号に基づいて、ＷＡＰの数と各ＷＤＵ内のウォーブル信号の数とをカウントし、所定数のウォーブル信号をカウントしたとき復調信号を出力するカウンタと、
前記復調信号に基づいて、アドレスフィールド内のＷＤＵからアドレス情報を復調するとともに、先頭ＩＰＷの未検出信号を出力するアドレス復調部と、
前記先頭ＩＰＷの未検出信号をカウントする未検出カウンタと
を備えたＷＡＰ復調装置であって、
前記カウンタは、前記復調信号を複数クロックに亘って連続して生成することと、
前記各復調信号に基づいて生成される複数のアドレスが期待値と一致するか否かを検出し、期待値と一致するアドレスが復調されるように前記復調信号のタイミングを補正する補正信号を前記カウンタに出力するアドレス比較部と
を備えたことを特徴とする光ディスクのＷＡＰ復調装置。
【発明の詳細な説明】
【技術分野】
【０００１】
この発明は、ＨＤ−ＤＶＤディスクにウォーブリングパターンとして記録されているアドレス情報を読み出すためのＷＡＰ（定期位置ウォーブルアドレス：Wobble Address in Periodic position）復調方法に関するものである。
【０００２】
近年、光ディスクの大容量化の要望が高まり、このような要望を実現する次世代型光ディスクとしてＨＤ−ＤＶＤディスクが開発されている。このＨＤ−ＤＶＤディスクのうち書き換え型ディスク（Rewritable Disc）では、ディスク面にグルーブとランドを形成し、グルーブの側壁に蛇行したウォーブル信号を形成し、このウォーブル信号を変調することでアドレス情報等のプリフォーマットデータを記録している。このような記録方法により、データ記録領域を効率的に利用して、記録容量の増大が図られている。そして、このようなＷＡＰの読み取り率及び読み取り精度を向上させることが必要となっている。
【背景技術】
【０００３】
図５は、光ディスク記録再生装置の概要を示し、データの書き込み動作に先立つＷＡＰの再生動作を説明する。
ＷＡＰの再生動作時に、ディスク１からピックアップ２を介して読み出されるウォーブル信号は、リードチャネル部３で２値化され、クロック信号ＣＬＫとともにコントローラ部４に入力される。コントローラ部４はＣＰＵ５に基づいて制御され、リードチャネル部３は、コントローラ部４により制御される。
【０００４】
コントローラ部４には、ＷＡＰ再生部６が設けられ、リードチャネル部３から出力されるウォーブル信号ＮＰＷ，ＩＰＷ及びクロック信号ＣＬＫに基づいてＷＡＰを再生し、記録位置を特定する。
【０００５】
ディスク１には、スパイラル状に形成された記録トラックが形成され、その記録トラックは所定長さの物理セグメントに分割される。そして、各物理セグメントにプリフォーマットデータとしてＷＡＰが書き込まれている。１周回の記録トラックは、１０〜数１０個の物理セグメントで構成される。
【０００６】
プリフォーマットデータは、ディスクの記録容量を確保するために、グルーブの蛇行によるウォーブル信号として記録されている。そして、上記ウォーブル信号ＩＰＷ（Invert Phase Wobble）はウォーブル信号ＮＰＷ（Normal Phase Wobble）の位相を反転させた信号である。
【０００７】
図９は、上記物理セグメントを特定するＷＡＰのレイアウトを示す。ＷＡＰは、１７個のＷＤＵ（Wobble Data Unit）で構成され、その情報内容はＳＹＮＣフィールド８、アドレスフィールド９、ユニティフィールド１０で構成される。
【０００８】
ＳＹＮＣフィールド８は、１つのＷＤＵが割り当てられ、アドレスフィールド９には１２のＷＤＵが割り当てられ、ユニティフィールド１０には３つのＷＤＵが割り当てられている。
【０００９】
図１０は、アドレスフィールド９に記録されている情報内容を示す。アドレスフィールド９内には、３ビットのセグメント情報、６ビットのセグメントアドレス、５ビットのゾーンアドレス、１ビットのアドレスパリティ、１２ビットのグルーブトラックアドレス、１２ビットのランドトラックアドレスが割り当てられている。
【００１０】
このアドレスフィールド９に格納される情報内容については、特許文献１に記載されている。
図１１（ａ）は、ＳＹＮＣフィールド８を形成するＷＤＵ０のレイアウトを示す。すなわち、１つのＷＤＵは８４ウォーブルからなり、ＳＹＮＣフィールド８は、６ウォーブルのＩＰＷと、４ウォーブルのＮＰＷと、６ウォーブルのＩＰＷと、６８ウォーブルのＮＰＷからなる。
【００１１】
ＩＰＷは“１ｂ”を示し、ＮＰＷは“０ｂ”を示し、ビット変調ルールは次に示すように取り決められている。
すなわち、ディスクの外周側と内周側において、図１２（ａ）に示すようにウォーブルがスタートして変化した場合はＮＰＷとして定義され、図１２（ｂ）に示すようにスタートして変化した場合にはＩＰＷとして定義され、ＩＰＷはＮＰＷの位相を反転させた信号である。
【００１２】
図１１（ｂ）は、アドレスフィールド９を構成するＷＤＵ１〜１３のレイアウトを示す。すなわち、先頭に４ウォーブルのＩＰＷが配置され、次いで４ウォーブルのビット２、４ウォーブルのビット１、４ウォーブルのビット０、６８ウォーブルのＮＰＷが配置されている。従って、ビット２〜０により１つのＷＤＵで３ビットのアドレス情報が格納される。また、前記ユニティフィールド１０は、図１１（ｃ）に示すように、８４ウォーブルのＮＰＷで構成される。
【００１３】
このような構成により、ＷＤＵ１の３ビットのアドレス情報でセグメント情報が格納され、ＷＤＵ２，３の６ビットのアドレス情報でセグメントアドレスが格納される。このようにして、ＷＤＵ１〜１３の３９ビットのアドレス情報で、図１０に示すセグメント情報からランドトラックアドレスまでの情報が格納される。
【００１４】
図６は、ＷＡＰ再生部６の従来例を示し、図７はその基本的な動作を示すタイムチャートである。シフトレジスタ１１にはＷＡＰを構成するＷＤＵが順次入力される。このＷＤＵは、ディスク１からピックアップ２を介して読み取られるウォーブル信号ＮＰＷ，ＩＰＷを２値化したものであり、所定ビット数ずつのウォーブル信号がＳＹＮＣ検出部１２とデータ変換部１３にそれぞれ出力される。
【００１５】
ＳＹＮＣ検出部１２は、ＷＡＰの最初のＷＤＵであるＳＹＮＣフィールド８を検出するものである。すなわち、ＳＹＮＣ検出部１２はＳＹＮＣフィールド８を構成するＷＤＵ０の６ウォーブルのＩＰＷと、４ウォーブルのＮＰＷと、６ウォーブルのＩＰＷとを４ビット毎に区切って、「1111 1100 0011 1111」のＳＹＮＣパターンとして検出すると、検出信号Ｘ１をＷＤＵ／ＷＡＰカウンタ１４及び未検出カウンタ１７に出力する。
【００１６】
ＷＤＵ／ＷＡＰカウンタ１４は、検出信号Ｘ１の入力に基づいて、１つのＷＡＰを構成する１７個のＷＤＵのカウント動作を行い、かつ各ＷＤＵを構成する８４個のウォーブル信号のカウント動作を行う。そして、そのカウント動作に基づいて、あらかじめ設定された所定のタイミングで復調信号Ｙ１をデータ変換部１３及びデータラッチ回路１５に出力する。
【００１７】
復調信号Ｙ１は、図７に示すように、アドレスフィールド９の各ＷＤＵ１〜１３において、１６番目のウォーブル信号をカウントした時点、すなわち、４ウォーブルのＩＰＷに続いてビット２〜０の４ウォーブルずつのウォーブル信号がデータ変換部１３に入力された時点で出力される。そして、復調信号Ｙ１は各ＷＤＵの８４個のウォーブル信号に対し同一タイミングとなるようにロックされた状態で出力される。
【００１８】
データ変換部１３は、復調信号Ｙ１に基づいて、シフトレジスタ１１から出力されるウォーブル信号を各ＷＤＵ１〜１３の最初のＩＰＷとビット２〜０に格納されているアドレス情報として認識して復調処理を行い、ビット２〜０から読み取られた信号をそれぞれ多数決判定して、３ビットのアドレス情報としてデータラッチ回路１５に出力する。
【００１９】
データラッチ回路１５は、各ＷＤＵ１〜１３のアドレス情報を復調信号Ｙ１に基づいて順次ラッチし、１つのＷＡＰの読み取り動作を終了した時点で、セグメント情報、セグメントアドレス、ゾーンアドレス、トラックアドレスとして出力する。
【００２０】
パリティチェック回路１６は、データラッチ回路１５に格納されたアドレス情報に基づいてパリティチェックを行い、エラーを検出すると、エラー信号を出力する。
また、データ変換部１３はアドレスフィールド９の各ＷＤＵ１〜１３において、最初の４ウォーブルのＩＰＷを検出し、検出不能である場合には未検出信号Ｚ１を未検出カウンタ１７に出力する。
【００２１】
未検出カウンタ１７は、未検出信号Ｚ１をカウントし、そのカウント値が一定値以上となったとき、各ＷＤＵ１〜１３の読み取り動作が異常であることを認識してエラー信号を出力する。
【００２２】
上記のようにＷＡＰの読み取り動作が行われ、読み取られたセグメント情報、セグメントアドレス、ゾーンアドレス、トラックアドレスに基づいて、データの書き込みアドレスが特定される。
【００２３】
ところで、ＳＹＮＣ検出部１２でＷＤＵ０のＳＹＮＣパターンを検出する際、通常ＳＹＮＣパターンに先立って読み取られるウォーブル信号「0000」に続いて、「1111 1100 0011 1111 0000」をフルビットで検出することが望ましい。しかし、この場合には読み取り率が低下し、この結果アドレスフィールド９からアドレス情報を正常に復調できなくなる可能性が高くなる。
【００２４】
そこで、図８（ａ）に示すように、「0000 ×111 1×00 00×1 111× 0000」の×の位置の４ビットのうち、２ビット以内で「1」が検出不能であっても、検出信号Ｘ１を出力するように設定されている。
【００２５】
また、データ変換部１３で各ＷＤＵ１〜１３の最初のＩＰＷ「1111」を検出する際、その前に読み取られるウォーブル信号「0000」に続いて、「0000 1111」をフルビット検出することが望ましい。しかし、この場合には読み取り率が低下し、未検出カウンタ１７のカウント値がすぐに増大して、ＷＤＵ１〜１３が読み取り不能と判定されてしまう可能性がある。
【００２６】
そこで、図８（ｂ）に示すように、「0000 ×11×」の×の位置の２ビットのうち、いずれか１ビットで「1」が検出不能であっても、未検出信号Ｚ１を出力しないように設定される。
【００２７】
特許文献１には、アドレス情報に基づいて設定されるデータセグメントの開始位置をＳＹＮＣフィールドのＮＰＷの位置に設定する情報記録方法が開示されている。
特許文献２には、ウォーブル信号をＡ／Ｄ変換し、さらに最尤復号法により読み取ったアドレス情報の信頼性を向上させるアドレス再生回路が開示されている。
【特許文献１】特開２００４−３０３３９５号公報
【特許文献２】特開２００４−２１３８７０号公報
【発明の開示】
【発明が解決しようとする課題】
【００２８】
上記のようなＳＹＮＣ検出部１２及びデータ変換部１３の動作では、読み取り率を確保するために、検出精度を下げてＳＹＮＣフィールド８及びアドレスフィールド９の読み取り動作を行っている。また、アドレスフィールド９内のＷＤＵ１〜１３の読み取り動作では、読み取り率を確保するために、最初の４ウォーブルのＩＰＷの検出精度を下げ、かつビット２〜０を読み取る際、データ変換部１３の動作により各４ビットのウォーブル信号を多数決判定して、１ビットのアドレス信号に復調している。
【００２９】
すると、アドレスフィールド９内のＷＤＵ１〜１３の読み取り動作時に、クロック信号ＣＬＫに対しデータがずれて読み取られた場合でも、読み取り動作が可能となり、結果的に正しいアドレス情報を得られなくなるという問題点がある。
【００３０】
例えば、図１３に示すように、ＩＰＷ及びビット２〜０を復調する場合、１ウォーブル分ずれて復調しても、ＩＰＷを正常に読み取ったものと判定し、ビット２〜０を多数決判定してアドレス情報を復調可能である。しかし、このような復調動作では、復調したアドレス情報にエラーが生じていても、そのエラーを検出することはできず、結果的にデータの書き込みを行うためのアドレスを正常に復調することができないことがある。
【００３１】
この発明の目的は、アドレス情報の読み取り率を確保しながら、読み取り精度の向上を図り得る光ディスクのＷＡＰ復調方法を提供することにある。
【課題を解決するための手段】
【００３２】
上記目的は、ディスクに記録されたウォーブル信号を２値化してＷＤＵを生成し、該ＷＤＵからＳＹＮＣフィールド内の同期信号を検出し、前記同期信号の検出に基づいて前記ＷＤＵの２値化信号をカウントし、該２値化信号のカウント値に基づいて、アドレスフィールド内の２値化信号からアドレス情報を復調するためのタイミングを設定する復調信号を生成し、該復調信号に基づいてアドレスフィールド内の２値化信号からアドレス情報を復調し、前記アドレスフィールドのＷＤＵの先頭ＩＰＷを検出することにより、前記ＷＤＵが正常に読み取り可能か否かを検出し、前記アドレス情報の読み取り率を向上させるために、前記同期信号及びＩＰＷの検出精度を下げて前記復調信号を生成するＷＡＰ復調方法において、前記アドレスフィールド内の各ＷＤＵの先頭ＩＰＷをフルビットで並行して検出し、前記復調信号が該先頭ＩＰＷをフルビットで正常に検出できるタイミングに同期するように、前記復調信号のタイミングを補正する光ディスクのＷＡＰ復調方法により達成される。
【００３３】
また、上記目的は、ディスクに記録されたウォーブル信号を２値化してＷＤＵを生成し、該ＷＤＵからＳＹＮＣフィールド内の同期信号を検出し、前記同期信号の検出に基づいて前記ＷＤＵの２値化信号をカウントし、該２値化信号のカウント値に基づいて、アドレスフィールド内の２値化信号からアドレス情報を復調するためのタイミングを設定する復調信号を生成し、該復調信号に基づいてアドレスフィールド内の２値化信号からアドレス情報を復調し、前記アドレスフィールドのＷＤＵの先頭ＩＰＷを検出することにより、前記ＷＤＵが正常に読み取り可能か否かを検出し、前記アドレス情報の読み取り率を向上させるために、前記同期信号及びＩＰＷの検出精度を下げて前記復調信号を生成するＷＡＰ復調方法において、前記復調信号を複数クロックに亘って連続して生成し、前記各復調信号に基づいて生成される複数のアドレスが期待値と一致するか否かを検出し、期待値と一致するアドレスが復調されるタイミングに同期するように前記復調信号のタイミングを補正する光ディスクのＷＡＰ復調方法により達成される。
【発明の効果】
【００３４】
本発明によれば、アドレス情報の読み取り率を確保しながら、読み取り精度の向上を図り得る光ディスクのＷＡＰ復調方法を提供することができる。
【発明を実施するための最良の形態】
【００３５】
（第一の実施の形態）
図１は、本発明を具体化したＷＡＰ再生部を示す。このＷＡＰ再生部は、図５に示すコントローラ部４に内蔵されるものでる。この実施の形態の光ディスク記録再生装置は、ＷＡＰ再生部を除いて図５に示す構成と同様である。そして、ディスク１にプリフォーマット情報として記録されるＷＡＰの構成は、前記従来例と同一である。
【００３６】
図１に示すＷＡＰ再生部は、図６に示す従来例に対しＩＰＷ監視部２１を追加し、そのＩＰＷ監視部２１の動作と連動して動作するＷＤＵ／ＷＡＰカウンタ２２を設けたものである。前記従来例と同一構成部分は同一符号を付して説明する。
【００３７】
シフトレジスタ１１にはＷＡＰを構成するＷＤＵが順次入力され、所定ビット数ずつのウォーブル信号がＳＹＮＣ検出部１２とデータ変換部１３にそれぞれ出力される。
ＳＹＮＣ検出部１２は、ＳＹＮＣフィールド８を検出すると、すなわちＳＹＮＣフィールド８を構成するＷＤＵ０の６ウォーブルのＩＰＷと、４ウォーブルのＮＰＷと、６ウォーブルのＩＰＷを同期信号として検出すると、検出信号Ｘ１をＷＤＵ／ＷＡＰカウンタ１４及び未検出カウンタ１７に出力する。この検出動作は、「1111 1100 0011 1111」のＳＹＮＣパターンを検出した場合、あるいは「×111 1×00 00×1 111× 0000」の×の位置の４ビットのうち、２ビット以内で「1」が検出不能であっても、検出信号Ｘ１を出力するように設定されている。
【００３８】
ＷＤＵ／ＷＡＰカウンタ２２は、検出信号Ｘ１の入力に基づいて、１つのＷＡＰを構成する１７個のＷＤＵ０〜ＷＤＵ１６をカウントし、かつ各ＷＤＵを構成する８４個のウォーブル信号（２値化信号）をカウントする。そして、そのカウント動作に基づいて、あらかじめ設定された所定のタイミングで復調信号Ｙ２をデータ変換部１３及びデータラッチ回路１５に出力する。
【００３９】
復調信号Ｙ２は、図２に示すように、アドレスフィールド９の各ＷＤＵ１〜１３において、１６番目のウォーブル信号をカウントした時点、すなわち、４ウォーブルのＩＰＷに続いてビット２〜０の４ウォーブルずつのウォーブル信号がデータ変換部１３に入力された時点で出力される。そして、復調信号Ｙ２は各ＷＤＵ１〜１３の８４個のウォーブル信号に対し同一タイミングとなるようにロックされた状態で出力される。
【００４０】
データ変換部１３は、復調信号Ｙ２に基づいて、シフトレジスタ１１から出力されるウォーブル信号を各ＷＤＵ１〜１３の最初のＩＰＷとビット２〜０に格納されているアドレス情報として認識して復調処理を行い、ビット２〜０から読み取られた信号をビット２〜０毎に多数決判定して、アドレス情報としてデータラッチ回路１５に出力する。また、従来例と同様に、「0000 ×11×」のＩＰＷを検出できない場合には、未検出信号Ｚ１を未検出カウンタに出力する。
【００４１】
データラッチ回路１５は、各ＷＤＵ１〜１３のアドレス情報を復調信号Ｙ２に基づいて順次ラッチし、１つのＷＡＰの読み取り動作を終了した時点で、セグメント情報、セグメントアドレス、ゾーンアドレス、トラックアドレスとして出力する。
【００４２】
パリティチェック回路１６は、データラッチ回路１５に格納されたアドレス情報に基づいてパリティチェックを行い、エラーを検出すると、エラー信号を出力する。
未検出カウンタ１７は、未検出信号Ｚ１をカウントし、そのカウント値が一定値以上となったとき、各ＷＤＵ１〜１３の読み取り動作が異常であることを認識してエラー信号を出力する。
【００４３】
前記ＩＰＷ監視部２１には、前記ＷＤＵ／ＷＡＰカウンタ２２から各ＷＤＵの１〜８４のウォーブル信号のカウント値が入力されるとともに、前記データ変換部１３を経て各ＷＤＵのウォーブル信号が入力される。そして、図２に示すように、ＩＰＷ監視部２１は復調信号Ｙ２の出力タイミングから前後ワンクロックの範囲で拡張したタイミングでＩＰＷ監視ウィンドウＣＷを設定し、この範囲で先頭ＩＰＷのフルビット検出を行う。
【００４４】
すなわち、カウンタ１４のカウント値が１５であるとき、ＩＰＷ監視部２１はカウント値８４〜３に対応する各ウォーブル信号で先頭ＩＰＷ「1111」が検出可能か否かをフルビットで検出する。また、カウンタ１４のカウント値が１６であるとき、ＩＰＷ監視部２１はカウント値１〜４に対応する各ウォーブル信号で先頭ＩＰＷ「1111」が検出可能か否かをフルビットで検出する。また、カウンタ１４のカウント値が１７であるとき、ＩＰＷ監視部２１はカウント値２〜５に対応する各ウォーブル信号で先頭ＩＰＷ「1111」が検出可能か否かをフルビットで検出する。そして、フルビットで先頭ＩＰＷ「1111」を検出したとき、検出信号Ｗ１をＷＤＵ／ＷＡＰカウンタ２２に出力する。
【００４５】
このような検出動作を行うにあたり、先頭ＩＰＷに先立つウォーブル信号は０であり、先頭ＩＰＷに続くビット２のウォーブル信号はオール０である必要がある。先頭ＩＰＷに先立つウォーブル信号は６８ウォーブルに亘ってＮＰＷ、すなわち０であるので問題はなく、ビット２は、セグメントアドレス、ゾーンアドレス等の値により検出機会に増減が発生するが、平均的に見れば問題はない。
【００４６】
ＷＤＵ／ＷＡＰカウンタ２２は、検出信号Ｗ１をカウントし、そのカウント値が所定値に達すると、ウォーブル信号のカウント値を補正する。すなわち、図２に示すように、カウント値が１７となったときに検出信号Ｗ１を受信し、この状態が所定数のＷＤＵで発生すると、カウントアップ動作を１クロック分停止して、カウント値を１クロック分減少させる。この動作は、フルビットで先頭ＩＰＷ「1111」を検出できるタイミングが正常であると推定して、ＷＤＵ／ＷＡＰカウンタ２２のカウント値を補正するものである。
【００４７】
従って、図２に示す動作では、復調信号Ｙ２の出力タイミングが検出信号Ｗ１のタイミングに補正されて１クロック分遅くなり、後続のＷＤＵではその復調信号Ｙ２に基づいてビット２〜０のアドレス情報の復調動作が行われる。この結果、補正前の復調信号Ｙ２に基づくアドレス情報Ａに対し、補正後の復調信号Ｙ２に基づいてアドレス情報Ａajが生成される。
【００４８】
上記のようなＷＡＰ再生部では、次に示す作用効果を得ることができる。
（１）ＳＹＮＣ検出部１２及びデータ変換部１３では、検出精度を下げてＳＹＮＣフィールド８及びアドレスフィールド９のＩＰＷの読み取り動作を行っているので、従来例と同様に読み取り率を確保することができる。
（２）ＩＰＷ監視部２１では、復調信号Ｙ２の出力タイミングの前後に亘ってＩＰＷ監視ウィンドウＣＷを設定し、そのＩＰＷ監視ウィンドウＣＷの範囲でアドレスフィールド９の先頭ＩＰＷのフルビット検出を行っている。従って、ＳＹＮＣ検出部１２及びデータ変換部１３の検出精度を下げたことにより、復調信号Ｙ２の出力タイミングがずれた場合にも、復調信号Ｙ２の出力タイミングを、先頭ＩＰＷをフルビット検出できるタイミングに補正することができる。また、出力タイミングが補正された復調信号Ｙ２に基づいて、正確なアドレス情報を復調することができる。
（３）ＷＤＵ／ＷＡＰカウンタ２２では、検出信号Ｗ１を複数回受信したとき、カウント値の補正を行う。従って、ＩＰＷ監視部２１で先頭ＩＰＷを誤検出して、検出信号Ｗ１を出力した場合にも、誤検出が複数回続いて発生しない限り、無用なカウント値の補正を防止することができる。
（４）ＳＹＮＣフィールド８及びアドレスフィールド９の読み取り率を確保しながら、復調されるアドレス情報の精度を向上させることができる。
（第二の実施の形態）
図３は、ＷＡＰ再生部の第二の実施の形態を示す。このＷＡＰ再生部は、第一の実施の形態と同様に、図５に示すコントローラ部４に内蔵されるものでる。この実施の形態の光ディスク記録再生装置は、ＷＡＰ再生部を除いて図５に示す構成と同様である。そして、ディスク１にプリフォーマット情報として記録されるＷＡＰの構成は、前記従来例と同一である。
【００４９】
図３に示すＷＡＰ再生部は、図６に示す従来例に対しアドレス比較部２３を追加し、そのアドレス比較部２３の動作と連動して動作するＷＤＵ／ＷＡＰカウンタ２４を設けたものである。前記従来例と同一構成部分は同一符号を付して説明する。
【００５０】
シフトレジスタ１１にはＷＡＰを構成するＷＤＵが順次入力され、所定ビット数ずつのウォーブル信号がＳＹＮＣ検出部１２とデータ変換部１３にそれぞれ出力される。
ＳＹＮＣ検出部１２、データ変換部１３、データラッチ回路１５、パリティチェック回路１６及び未検出カウンタ１７の動作は、前記第一の実施の形態と同様である。
【００５１】
ＷＤＵ／ＷＡＰカウンタ２４は、検出信号Ｘ１の入力に基づいて、１つのＷＡＰを構成する１７個のＷＤＵ０〜ＷＤＵ１６をカウントし、かつ各ＷＤＵを構成する８４個のウォーブル信号をカウントする。そして、そのカウント動作に基づいて、あらかじめ設定された所定のタイミングで復調信号Ｙａ〜Ｙｃをデータ変換部１３及びデータラッチ回路１５に出力する。
【００５２】
復調信号Ｙａ〜Ｙｃは、図４に示すように、アドレスフィールド９の各ＷＤＵ１〜１３において、１５〜１７番目のウォーブル信号をカウントした時点、すなわち、４ウォーブルのＩＰＷに続いてビット２〜０の４ウォーブルずつのウォーブル信号がデータ変換部１３に入力された時点の前後で３クロックに亘り出力される。そして、復調信号Ｙａ〜Ｙｃは各ＷＤＵ１〜１３の８４個のウォーブル信号に対し同一タイミングとなるようにロックされた状態で出力される。
【００５３】
データ変換部１３は、復調信号Ｙａ〜Ｙｃに基づいて、シフトレジスタ１１から出力されるウォーブル信号を各ＷＤＵ１〜１３の最初のＩＰＷとビット２〜０に格納されているアドレス情報として認識して復調処理を行う。そして、ビット２〜０から読み取られた信号をビット２〜０毎に多数決判定して、３通りのアドレス情報としてデータラッチ回路１５に出力する。また、復調信号Ｙａ〜Ｙｃのいずれのタイミングでも「0000 ×11×」のＩＰＷを検出できない場合には、未検出信号Ｚ１を未検出カウンタに出力する。
【００５４】
データラッチ回路１５は、各ＷＤＵ１〜１３のアドレス情報を復調信号Ｙａ〜Ｙｃに基づいて順次ラッチし、１つのＷＡＰの読み取り動作を終了した時点で、３通りのセグメント情報、セグメントアドレス、ゾーンアドレス、トラックアドレスとして、それぞれアドレスＡ〜Ｃとして出力する。
【００５５】
パリティチェック回路１６は、データラッチ回路１５に格納されたアドレス情報に基づいてパリティチェックを行い、エラーを検出すると、エラー信号を出力する。
未検出カウンタ１７は、未検出信号Ｚ１をカウントし、そのカウント値が一定値以上となったとき、各ＷＤＵ１〜１３の読み取り動作が異常であることを認識してエラー信号を出力する。
【００５６】
前記ＷＤＵ／ＷＡＰカウンタ２４は、復調信号Ｙａ〜Ｙｃの出力に続いて、アドレス比較ウィンドウＡＣＷをアドレス比較部２３に出力する。アドレス比較部２３は、アドレス比較ウィンドウＡＣＷに基づいてアドレスＡ〜Ｃを取り込む。そして、当該復調信号Ｙａ〜Ｙｃのタイミングで復調された３通りのアドレス値（ｎａ，ｎｂ，ｎｃ）と、１つ前のＷＡＰの読み取り動作で復調信号Ｙａ〜Ｙｃにより復調された３通りのアドレスＡ〜Ｃのアドレス値（ｎａ−１，ｎｂ−１，ｎｃ−１）との連続性を判定する。
【００５７】
そして、アドレス比較部２３は、アドレスＡ〜Ｃの中で最も連続性の高いアドレスを復調できる復調タイミングが正常であると判定して、タイミング補正信号ＱをＷＤＵ／ＷＡＰカウンタ２４に出力する。
【００５８】
図４では、復調信号Ｙａのタイミングにより復調されたアドレス値ｎａの連続性が最も高い場合を示し、ＷＤＵ／ＷＡＰカウンタ２４はそのカウント値を１クロック分増加させる。そして、後続のＷＡＰはこのカウント値に基づいて復調信号Ｙａ〜Ｙｃが生成され、上記と同様な復調動作及びアドレス比較動作が繰り返される。
【００５９】
上記アドレス比較動作では、復調信号Ｙｂのタイミングにより復調されたアドレス値ｎｂの連続性が最も高い場合には、ＷＤＵ／ＷＡＰカウンタ２４のカウント値の補正は行われず、復調信号Ｙｃのタイミングにより復調されたアドレス値ｎｃの連続性が最も高い場合には、ＷＤＵ／ＷＡＰカウンタ２４のカウント値が１クロック分減少することになる。
【００６０】
そして、復調信号Ｙｂのタイミングにより復調されたアドレスに基づいて、書き込みアドレスが特定される。
上記のようなＷＡＰ再生部では、次に示す作用効果を得ることができる。
（１）ＳＹＮＣ検出部１２及びデータ変換部１３では、検出精度を下げてＳＹＮＣフィールド８及びアドレスフィールド９のＩＰＷの読み取り動作を行っているので、従来例と同様に読み取り率を確保することができる。
（２）ＷＤＵ／ＷＡＰカウンタ２４から連続して出力される復調信号Ｙａ〜Ｙｃに基づいて、アドレスフィールド９の各ＷＤＵ１〜１３において、復調信号Ｙａ〜Ｙｃのタイミングに対応した３通りのアドレス情報がそれぞれ復調され、１つのＷＡＰにおいて、３通りのアドレス値が復調される。そして、各ＷＡＰで復調される３通りのアドレス値について、復調信号Ｙａ〜Ｙｃに対応するアドレス値の連続性をアドレス比較部２３で判定し、復調信号Ｙｂが最も連続性の高いアドレス値を復調できる復調タイミングとなるように、ＷＤＵ／ＷＡＰカウンタ２４のカウント値を補正する。このような動作により、出力タイミングが補正された復調信号に基づいて、正確なアドレス情報を復調することができる。
（３）ＳＹＮＣフィールド８及びアドレスフィールド９の読み取り率を確保しながら、復調されるアドレス情報の精度を向上させることができる。
【００６１】
上記実施の形態は、次に示すように変更してもよい。
・第一の実施の形態において、ＩＰＷ監視ウィンドウＣＷは、図２に破線で示すように、復調信号Ｙ２の前後１クロック分よりさらに長い時間としてもよい。
・前記実施の形態は、書き換え型ディスク（Rewritable Disc）について説明しているが、上記のようなＷＤＵを備えたディスクであれば、例えばＨＤ−ＤＶＤディスクの書き込み型ディスク（Recordable Disc）等に応用することもできる。
【図面の簡単な説明】
【００６２】
【図１】第一の実施の形態のＷＡＰ再生部を示すブロック図である。
【図２】第一の実施の形態の動作を示すタイムチャートである。
【図３】第二の実施の形態のＷＡＰ再生部を示すブロック図である。
【図４】第二の実施の形態の動作を示すタイムチャートである。
【図５】光ディスク記録再生装置を示すブロック図である。
【図６】従来のＷＡＰ再生部を示すブロックである。
【図７】従来のＷＡＰ再生部の動作を示すタイムチャートである。
【図８】（ａ）（ｂ）は検出精度を下げる動作を示す説明図である。
【図９】ＷＡＰのレイアウトを示す説明図である。
【図１０】アドレスフィールドのレイアウトを示す説明図である。
【図１１】（ａ）（ｂ）（ｃ）は、ＳＹＮＣフィールド、アドレスフィールド、ユニティフィールドにおけるＷＤＵのレイアウトを示す説明図である。
【図１２】（ａ）（ｂ）はウォーブル信号の変調ルールを示す説明図である。
【図１３】復調エラー動作を示す説明図である。
【符号の説明】
【００６３】
１        ディスク
８        ＳＹＮＣフィールド
９        アドレスフィールド
１２      ＳＹＮＣ検出部
１３      アドレス復調部（データ変換部）
１４      カウンタ
１５      アドレス復調部（データラッチ回路）
１７      未検出カウンタ
Ｙ２，Ｙａ〜Ｙｃ      復調信号
【図１】
2006236448.tif 000003
【図２】
2006236448.tif 000004
【図３】
2006236448.tif 000005
【図４】
2006236448.tif 000006
【図５】
2006236448.tif 000007
【図６】
2006236448.tif 000008
【図７】
2006236448.tif 000009
【図８】
2006236448.tif 000010
【図９】
2006236448.tif 000011
【図１０】
2006236448.tif 000012
【図１１】
2006236448.tif 000013
【図１２】
2006236448.tif 000014
【図１３】
2006236448.tif 000015